(57)【特許請求の範囲】
【請求項１】
互いに重ねられる上容器と下容器との間に収容空間を形成する容器と、
互いに重なる上容器と下容器のいずれか一方を貫通する貫通部を経由して他方に至り、これら両容器を連結する封印用ねじと、
前記貫通部内の前記封印用ねじの頭部を臨むように、前記上容器と下容器のいずれか一方に形成された凹部と、
該凹部に挿入されて前記上容器または下容器に連結され、前記貫通部内の前記封印用ねじを覆う封印用キャップと、を具備し、
前記封印用キャップと凹部との間に、これらの間からの棒状体の侵入を阻止する侵入防止部を設けて構成され、
前記侵入防止部は、前記凹部の内方に突出しかつ前記封印用キャップの縁部に沿う内側延長部と、該内側延長部の端部から前記縁部の内側面に向けて突出して外部からの棒状体侵入を規制する規制部とを有することを特徴とする封印容器。
【請求項２】
前記侵入防止部の規制部の先端は、前記封印用キャップの縁部の内側面に接触されることを特徴とする請求項１に記載の封印容器。
【請求項３】
前記侵入防止部の規制部の先端は、前記封印用キャップの縁部の内側面に形成された嵌合凹部内に嵌合されることを特徴とする請求項１に記載の封印容器。
【請求項４】
前記侵入防止部の内側延長部上に、前記封印用キャップからの棒状体挿入により破壊されて薬剤混合により発熱反応が生じる複数の薬剤収容袋が設置され、
前記封印用キャップは、前記薬剤収容袋により発生する熱により軟化する材料により形成されることを特徴とする請求項１〜３のいずれか１項に記載の封印容器。
【請求項５】
前記薬剤収容袋は、前記侵入防止部の内側延長部上に重ねて配置されることを特徴とする請求項４に記載の封印容器。
【発明の詳細な説明】
【技術分野】
【０００１】
本発明は、電子部品（ＲＯＭ，ＣＰＵ）及び該電子部品を搭載する基板といった重要部材を内部に収容する封印容器に係り、封印用キャップを外して開封しようとする不正を防止することができる技術に関する。
【背景技術】
【０００２】
パチンコ等の遊技機、産業用ロボット、白物家電などの電子機器には、これらの動作を制御する電子部品（ＲＯＭ，ＣＰＵ）を搭載した基板が収容される。このような基板の不正な改造を防止して電子器機器の機能を保証するため、または内部に組み込まれている情報を保護するため、該基板を密封可能な基板ケースに収納することが行われている。
【０００３】
例えば、特許文献１にはこのような基板ケースを密封するために使用されるねじについての技術が開示されている。
この基板ケースは、皿状部材に連結部が一体成型されると共に、キャップ状部材に有底円筒状部が一体成型される。これら有底円筒状部と連結部は、該有底円筒状部内に頭部を臨ませたビスにより固定される。
【０００４】
また、有底円筒状部には、封印蓋が嵌入される。この封印蓋は、有底円筒状部に挿入される軸部の外周面に、突環部が突出形成される。突環部には、有底円筒状部の内周面に当接する周面部が形成されるとともに、該突環部における有底円筒状部に対する嵌入方向の前側端縁に、周面部から嵌入方向の前側に向かうにつれて軸中心に向けて傾斜するテーパ面が形成される。そして、封印蓋を有底円筒状部に嵌入すると、突環部が有底円筒状部の内周面に食い込んで抜け止めされるものである。
【先行技術文献】
【特許文献】
【０００５】
【特許文献１】特開２００９−２３２８７４号公報
【発明の概要】
【発明が解決しようとする課題】
【０００６】
ところで、上記特許文献１に示される基板ケースでは、封印蓋を有底円筒状部に嵌入した際に、突環部が有底円筒状部の内周面に食い込んで抜け止めされる構成であるが、封印蓋の縁から棒状体工具が挿入された場合に、該棒状体工具が、封印蓋の嵌入箇所に至ってしまい、該封印蓋が簡単に外れる恐れがある。
【０００７】
本発明は、前述した課題を解決するためになされたものであり、その目的は、簡易な構成により、封印用キャップに挿入された棒状体工具が、該封印用キャップの嵌入箇所に至ることを初期段階において阻止できる封印容器を提供することにある。
【課題を解決するための手段】
【０００８】
上記課題を解決するために、この発明は以下の手段を提案している。すなわち、本発明は、互いに重ねられる上容器と下容器との間に収容空間を形成する容器と、互いに重なる上容器と下容器のいずれか一方を貫通する貫通部を経由して他方に至り、これら両容器を連結する封印用ねじと、前記貫通部内の前記封印用ねじの頭部を臨むように、前記上容器と下容器のいずれか一方に形成された凹部と、該凹部に挿入されて前記上容器または下容器に連結され、前記貫通部内の前記封印用ねじを覆う封印用キャップと、を具備し、前記封印用キャップと凹部との間に、これらの間からの棒状体の侵入を阻止する侵入防止部を設けたことを特徴としている。
【発明の効果】
【０００９】
本発明によれば、上容器と下容器のいずれか一方に形成された凹部と、該凹部に挿入された封印用キャップとの間に設けた侵入防止部によって、封印用キャップの嵌入箇所に至る以前において、該封印用キャップと凹部の間からの棒状体の侵入を阻止して、該封印用キャップの取り外しを初期段階で防止することができる。
また、本発明では、上容器と下容器のいずれか一方に形成された凹部と、該凹部に挿入された封印用キャップとの間に侵入防止部を設けるという簡易な構成により、上述した、封印用キャップの嵌入箇所に至る以前にて、該封印用キャップと凹部の間から棒状体の侵入を阻止できる。
【図面の簡単な説明】
【００１０】
【図１】本発明に係る封印容器を示す断面図である。
【図２】第１実施形態に係る封印容器の外観図である。
【図３】第１実施形態に係る封印容器を上方から見た分解斜視図である。
【図４】第１実施形態に係る封印容器を下方から見た分解斜視図である。
【図５】第１実施形態に係る封印容器の断面図である。
【図６】第２実施形態に係る封印容器の断面図である。
【発明を実施するための形態】
【００１１】
図１は、本発明に係る封印容器１００を具体的に示す断面図である。
この図１において符号１で示すものは容器であって、プラスチック材料により形成された下容器となるケースベース２、上容器となるケースカバー３、これらケースを連結するための封印用ねじ（後述する）を封印する封印用キャップ４を主な構成要素としている。
ケースベース２及びケースカバー３は、中心線Оを基準として互いに重ねられることで一体化するものであり、これらの間には、電子部品（ＲＯＭ，ＣＰＵ）及び該電子部品を搭載する基板（図示略）といった重要部材が収容される収納空間５が形成されている。
【００１２】
互いに重なるケースベース２とケースカバー３には、ケースカバー３を貫通して（符号３Ａで貫通部を示す）ケースベース２の雌ねじ部６に至りねじ込まれる封印用ねじ７が設けられている。
この封印用ねじ７は頭部７Ａを有し、該頭部７Ａとねじ込まれたケースベース２との間に、ケースカバー３を挟み込むことによって、これらケースベース２及びケースカバー３を一体化させる。
また、容器１のケースカバー３には、貫通部３Ａ内にねじ込まれた封印用ねじ７の頭部７Ａを臨むように凹部８が形成され、凹部８内には封印用キャップ４が嵌め込まれる。
【００１３】
封印用キャップ４とケースベース２との間には、該封印用キャップ４をケースベース２に連結する連結手段１０が設けられ、さらに封印用キャップ４には、該連結手段１０に通じる隙間１４を塞ぐ封止縁部４Ｂが、胴体部４Ａと一体に設けられている。
そして、このような構成により、封印用ねじ７を封印する封印用キャップ４が連結手段１０によりケースカバー３の凹部８内に固定されるとともに、該封印用キャップ４に設けられた封止縁部４Ｂによって、ドライバ等の棒状の解除工具Ｔが連結手段１０に至ることを阻止する。
【００１４】
容器１のケースカバー３の内側面には、凹部８の内方に突出する侵入防止部２０が設けられている。
侵入防止部２０の一例としては、ケースカバー３の内側面から凹部８の内方に突出しかつ封印用キャップ４の封止縁部４Ｂに沿う内側延長部２１と、該内側延長部２１の端部から封止縁部４Ｂの内側面４ｂに向けて突出して外部からのドライバ等の棒状の解除工具Ｔの侵入を規制する規制部２２とを有する構造である。
また、侵入防止部２０の規制部２２の先端は、封印用キャップ４の封止縁部４Ｂの内側面４ｂに接触している。
【００１５】
そして、以上のように構成された封印容器１００では、ケースカバー３に形成された凹部８と、該凹部８に挿入された封印用キャップ４との間に設けた侵入防止部２０によって、封印用キャップ４の嵌入箇所に至る以前において、該封印用キャップ４と凹部８の間からの棒状の解除工具Ｔの侵入を阻止して、該封印用キャップ４の取り外しを初期段階で防止することができる。
また、上記封印容器１００では、ケースカバー３に形成された凹部８と、該凹部８に挿入された封印用キャップ４との間に侵入防止部２０を設けるという簡易な構成により、上述した、封印用キャップ４の嵌入箇所に至る以前にて、該封印用キャップ４と凹部８の間から解除工具Ｔの侵入を阻止できる。
【００１６】
なお、本例では、容器１の一方側であるケースカバー３に凹部８を形成し、該凹部８内から、該ケースカバー３を、容器１の他方側となるケースベース２に固定するための封印用ねじ７をねじ込むようにしたが、逆であっても良い。すなわち、ケーケースベース２に凹部８を形成し、該凹部８内から、該ケースベース２を、ケースカバー３に固定するための封印用ねじ７をねじ込むようにしても良い。
【００１７】
（第１実施形態）
本発明の第１実施形態に係る封印容器１０１について、図２〜図５を参照して説明する。
これら図２〜図５において、図２は外観図、図３及び図４は、ケースベース２、ケースカバー３、封印用キャップ４を主な構成要素とする容器１の分解図、図５は図２の断面図である。
これらの図に示されるように、ケースベース２及びケースカバー３は中心線Ｏを基準として互いに重ねられた状態で箱形状となるものであって、その内部に、電子部品（ＲＯＭ，ＣＰＵ）及び該電子部品を搭載する基板（図示略）といった重要部材が収容される収納空間５が形成される。また、封印用キャップ４は全体が円筒状に形成されている。
なお、ケースベース２、ケースカバー３、封印用キャップ４は中心線Ｏを基準として互いに結合される。
また、封印用キャップ４は、中心線Ｏに沿う筒状の胴体部４Ａと、該胴体部４Ａの後端部に配置された円盤状の封止縁部４Ｂとが一体に設けられた構成である。
【００１８】
また、図５に示されるように、封印用キャップ４には容器１に連結するための連結手段１０が設けられているが、該連結手段１０は、封印用キャップ４の胴体部４Ａ先端に設けられて外側に突出した係合部１１と、凹部８の周縁部に形成されて該係合部１１に係合されるスリット状の被係合部１２とを有している。また、被係合部１２は、凹部８の内周面１３の下部にて内側（中心線Ｏ側）に突出する突出形状に形成される。
【００１９】
容器１のケースカバー３の内側面には、図５に示されるように凹部８の内方に突出する侵入防止部２０が設けられている。
この侵入防止部２０は、ケースカバー３の内側面から凹部８の内方に突出しかつ封印用キャップ４の封止縁部４Ｂに沿う内側延長部２１と、該内側延長部２１の端部から封止縁部４Ｂの内側面４ｂに向けて突出して外部からの棒状の解除工具Ｔの侵入を規制する規制部２２とを有する構造である。
侵入防止部２０の規制部２２の先端は、封印用キャップ４の封止縁部４Ｂの内側面４ｂに形成された嵌合凹部２３内に嵌合され、このような規制部２２の存在により、直線Ｌで示すように解除工具Ｔが挿入された場合、該解除工具Ｔが封印用ねじ７に至ることを阻止する。
ここで、侵入防止部２０の規制部２２の先端は、封印用キャップ４の嵌合凹部２３内に嵌合された状態にあるので、直線Ｌで示すように解除工具Ｔが挿入されて、規制部２２に当接したとしても、規制部２２が固定されて動かず、その結果、該解除工具Ｔが封印用ねじ７に至ることを強力に阻止することができる。
【００２０】
以上のように構成された第１実施形態の封印容器１０１では、まず、中心線Ｏを基準として基板（図示略）が収容されたケースベース２に対してケースカバー３を重ね合わせて、封印用ねじ７でケースベース２及びケースカバー３を一体化して収納空間５内の基板を保護する。その後、図３〜図４に示すように、ケースカバー３に形成された凹部８へ封印用キャップ４を矢印Ａ方向に挿入するが、その際、ケースカバー３の凹部８内に形成された連結手段１０の被係合部１２に、封印用キャップ４側に位置する係合部１１を周方向に位置合わせるようにする。これにより、図２に示されるように、封印用キャップ４の係合部１１が、ケースカバー３の内周面１３と摺動した後、該挿入方向（矢印Ａ方向）に対して外方に弾性変形し、その後、被係合部１２に係合されることになる。
すなわち、封印容器１０１では、連結手段１０を構成する係合部１１と被係合部１２により、封印用キャップ４がケースカバー３に固定されて、該封印用キャップ４を容器１に結合させることができる。
【００２１】
また、上記のように構成された封印容器１０１では、図５に示されるように、ケースカバー３に形成された凹部８と、該凹部８に挿入された封印用キャップ４との間に設けた侵入防止部２０によって、封印用キャップ４の嵌入箇所に至る以前において、該封印用キャップ４と凹部８の間からの棒状の解除工具Ｔの侵入を阻止して、該封印用キャップ４の取り外しを初期段階で防止することができる。
また、上記封印容器１０１では、侵入防止部２０を、ケースカバー３の内側面から凹部８の内方に突出する内側延長部２１と、該内側延長部２１の端部から封止縁部４Ｂの内側面４ｂに向けて突出する規制部２２とを有する構成とし、かつ規制部２２の先端を、封印用キャップ４の封止縁部４Ｂの内側面４ｂに形成された嵌合凹部２３内に嵌合させるようにした。これにより、図５に直線Ｌで示すように解除工具Ｔが挿入されて、規制部２２に当接した場合であっても、嵌合凹部２３に嵌合された規制部２２が固定されて動かず、その結果、該解除工具Ｔが封印用ねじ７に至ることを強力に阻止することができる。
【００２２】
さらに、上記封印容器１０１では、ケースカバー３に形成された凹部８と、該凹部８に挿入された封印用キャップ４との間に侵入防止部２０を設けるという簡易な構成により、上述した、封印用キャップ４の嵌入箇所に至る以前にて、該封印用キャップ４と凹部８の間から解除工具Ｔの侵入を阻止できる効果も奏する。
【００２３】
（第２実施形態）
本発明の第２実施形態について、図６を参照して説明する。
これら図６は第２実施形態に係る封印容器１０２であって、第１実施形態に示される封印容器１０１と構成を異にするのは、侵入防止部２０に薬剤（材料Ａ、材料Ｂ）が収容される薬剤収容袋３０が設けられている点である。
【００２４】
この薬剤収容袋３０は、侵入防止部２０の内側延長部２１上に配置されるものであって、複数の薬剤収容袋３０Ａ、３０Ｂからなる。
また、この薬剤収容袋３０は、封印用キャップ４の封止縁部４Ｂと封印用ねじ７の頭部７Ａとを結ぶ直線Ｌと交差する位置にあり、混合により発熱する薬剤収容袋３０が複数（本例では２つの薬剤収容袋３０Ａ、３０Ｂが上下に重なるように）設けられている。
そして、これら薬剤収容袋３０（３０Ａ、３０Ｂ）には、解除工具Ｔが突き刺さることで互いが混合された場合に、発熱反応が生じる材料（材料Ａ、材料Ｂ）がそれぞれ収容されている。
【００２５】
例えば、薬剤収容袋３０Ａの材料Ａとして「水」が使用され、薬剤収容袋３０Ｂの材料Ｂとして「酸化カルシウム/アルミニウム粉末」が使用されており、これら材料Ａ、Ｂが混合された場合には、およそ９８℃まで発熱させることができる。
また、他の例では、薬剤収容袋３０Ａの材料Ａとして「水」が使用され、薬剤収容袋３０Ｂの材料Ｂとして「生石灰」が使用されており、これら材料Ａ、Ｂが混合された場合には、およそ８０〜９０℃まで発熱させることができる。
また、他の例では、薬剤収容袋３０Ａの材料Ａとして「水」が使用され、薬剤収容袋３０Ｂの材料Ｂとして「鉄粉」が使用されており、これら材料Ａ、Ｂが酸素存在下で混合された場合には、およそ６３℃まで発熱させることができる。
【００２６】
また、封印用キャップ４は、薬剤収容袋３０内の材料混合により発生する熱により軟化する材料（例えば、耐熱温度が７０〜９０℃のポリスチレン、耐熱温度が７０〜１００℃のＡＢＳ樹脂等の溶融温度が比較的低い材料）が適宜選択及び使用される。
【００２７】
以上のように構成された第２実施形態の封印容器１０２では、封印用キャップ４の封止縁部４Ｂと、ねじ７の頭部７Ａとを結ぶ直線Ｌと交差する位置に、混合により発熱する薬剤収容袋３０を複数（本例では、２つの薬剤収容袋３０Ａ、３０Ｂに材料Ａ、Ｂをそれぞれ収容）設けるようにした。
一方、封印用キャップ４は、薬剤により発生する熱により軟化する材料（例えば、ポリスチレン、ＡＢＳ樹脂などの溶融温度が比較的低い材料）により形成するようにした。
そして、これら構成により、直線Ｌに沿ってドライバ等の解除工具Ｔが不正に挿入された際には、複数の薬剤収容袋３０を突き破り、各薬剤収容袋３０内の薬剤が混合され、かつ薬剤混合により発熱反応が生じた場合には、該薬剤収容袋３０に接する封印用キャップ４が軟化及び変形する。その後、管理者がこの状態を見ることにより、封印用キャップ４の不正開封が行われたことを認識することができる。
すなわち、第２実施形態の封印容器１０２では、不正開封がなされた場合に、封印用キャップ４を軟化及び変形させることで、該封印用キャップ４を不正開封した場合の痕跡を確実に残し、当該不正開封の発見を早期かつ確実に行うことができるものである。
【００２８】
さらに、第２実施形態の封印容器１０２では、仮に、解除工具Ｔによる薬剤収容袋３０の材料Ａ、Ｂ混合がなされたかったとしても、封印用キャップ４との間に設けた侵入防止部２０によって、該解除工具Ｔの侵入を阻止して、該封印用キャップ４の取り外しを初期段階で防止することができる。
【００２９】
なお、第２実施形態では、図６に示すように、侵入防止部２０に、混合により発熱する薬剤収容袋３０が複数（本例では２つの薬剤収容袋３０Ａ、３０Ｂが上下に重なるように）設けられているが、これら薬剤収容袋３０の個数は、中に収容される発熱材料により変わるものであり、３つに限定されるものではない。
また、上容器と下容器とを連結する封印用ねじは、一方の容器を貫通して他方に至る長さを有するものであればその径路、具体的形状が上記実施形態に限定されるものではない。
また、第２実施形態では、封印用キャップ４を不透明なプラスチック材料により形成しているが、解除工具Ｔを使って不正開封を試みようとする者を躊躇させるために、該封印用キャップ４の容器１を透明にして、薬剤収容袋３０を外部から目視できるようにしても良い。
【００３０】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３１】
本発明は、電子部品（ＲＯＭ，ＣＰＵ）及び該電子部品を搭載する基板といった重要部材を内部に収容する封印容器に係り、封印用キャップを外して開封しようとする不正を防止することができる技術に関する。
【符号の説明】
【００３２】
１  容器
２  ベースカバー（下容器）
３  ケースカバー（上容器）
４  封印用キャップ
４Ａ  胴体部
４Ｂ  封止縁部
５  収容空間
６  雌ねじ部
７  封印用ねじ
８  凹部
２０  侵入防止部
２１  内側延長部
２２  規制部
２３  嵌合凹部
３０（３０Ａ、３０Ｂ）  薬剤収容袋
１００  封印容器
１０１  封印容器
１０２  封印容器
【図１】
0006432971.tif 000002
【図２】
0006432971.tif 000003
【図３】
0006432971.tif 000004
【図４】
0006432971.tif 000005
【図５】
0006432971.tif 000006
【図６】
0006432971.tif 000007